(57)【要約】      （修正有）【課題】自宅等の身近な生活圏に置かれている仏壇の中に、墓所の形式を遺骨と共に取り入れ、故人に対する親密なお祀りを可能にすることができる。そのため、遺族は過去の想い出の中にある故人を、その一部である遺骨と共に最も身近に置くことが可能となり、常時墓参を行っているのと同様に故人を偲ぶことが可能となる仏壇を提供する。  【解決手段】基板２の上面外周に平行な側板３、４とこの側板３、４を連結する奥板をコ字型に配置する。この側板３、４の前側の間に棚石６を配置するとともに側板３、４の前側と棚石６の上面を拝石１０で開閉可能に被覆する。そして、側板３、４の後側と奥板の上面を芝台１１により被覆して、遺骨入りの骨壺を収納する為の納骨室を形成する。また、芝台１１の上面に墓所用のモニュメント１４を配置することにより墓所部１を形成する。この墓所部１を仏壇内部の載置板１６に載置して仏壇内に収納配置する。【選択図】図２
0003156554.tif 000002
【実用新案登録請求の範囲】
【請求項１】
基板の上面外周に平行な側板とこの側板を連結する奥板をコ字型に配置し、この側板の前側の間に棚石を配置するとともに側板の前側と棚石の上面を拝石で開閉可能に被覆し、側板の後側と奥板の上面を芝台により被覆して、遺骨入りの骨壺を収納する為の納骨室を形成すると共に芝台の上面に墓所用のモニュメントを配置することにより墓所部を形成し、この墓所部を仏壇内部の載置板に載置して収納配置したことを特徴とする墓所を兼ねた仏壇。
【請求項２】
墓所部の基板と仏壇の載置板とは、防振ゴムを介して止め具により連結固定したことを特徴とする請求項１の墓所を兼ねた仏壇。
【請求項３】
墓所部の形成素材は自然石により形成したことを特徴とする請求項１または２の墓所を兼ねた仏壇。
【請求項４】
墓所部の形成素材は人造石により形成したことを特徴とする請求項１または２の墓所を兼ねた仏壇。
【請求項５】
モニュメントは、墓石であることを特徴とする請求項１の墓所を兼ねた仏壇。
【考案の詳細な説明】
【技術分野】
【０００１】
本考案は、墓所を兼ねた仏壇に係るもので、通常の墓所以外の場所、例えば自宅において墓所と同様の気持ちで死者の霊を祀る事を簡易に可能とするものである。
【背景技術】
【０００２】
従来、死者の霊を祀る方法として、仏教では特許文献１、２に示す如く自宅等の身近な生活圏に仏壇を置いて祀ることが行われている。また、別の方法では、特許文献３、４等の如く自宅等の身近な生活圏から離れた場所に墓所を設けて死者の霊を祀る事が行われている。そして、仏壇には位牌を祀るとともに墓所には遺骨を祀ることが行われている。そして、自宅等の身近な生活圏に置かれた仏壇には毎日祈りを捧げることが可能であるが、遺族に最も近い関係にある遺骨には、お盆、お彼岸等の年に数回の訪問により祈りを捧げるに過ぎないのが一般的である。
【０００３】
【特許文献１】特開２００９−６１１５８号公報
【特許文献２】特開２００８−２２９２２７号公報
【特許文献３】特開２０００−１２９９６１号公報
【特許文献４】特開２０００−１２９９５９号公報
【考案の開示】
【考案が解決しようとする課題】
【０００４】
しかしながら、故人を偲ぶ遺族としては宗教上の形式である位牌よりも、遺骨を尊び親近感を抱くのが一般的であり、自宅等の身近な生活圏に墓所を設置したいものと思っている。しかし、現実的には法規制、社会的規制等の諸般の規制によって、自宅等の身近な生活圏に墓所を設置することは困難なものである。
【０００５】
そこで、本考案に於いては自宅等の身近な生活圏に置かれている仏壇の中に、通常は自宅等の身近な生活圏から離れた場所に設置されている墓所の形式を遺骨と共に取り入れ、自宅等の身近な生活圏に墓所を設置したのと同様に、故人に対する親密なお祀りを可能にしようとするものである。
【課題を解決するための手段】
【０００６】
本願考案は、上述の如き課題を解決するため、基板の上面外周に平行な側板とこの側板を連結する奥板をコ字型に配置し、この側板の前側の間に棚石を配置するとともに側板の前側と棚石の上面を拝石で開閉可能に被覆し、側板の後側と奥板の上面を芝台により被覆して、遺骨入りの骨壺を収納する為の納骨室を形成すると共に芝台の上面に墓所用のモニュメントを配置することにより墓所部を形成する。この墓所部は通常の墓所を再現する為に、自然石を用いることが好ましいが、費用や重量を軽減する為、人造石を用いるものであっても良い。
【０００７】
そして、上記の墓所部を、仏壇内部の載置板に載置して収納配置することにより、自宅等の身近な生活圏の仏壇内に墓所を設置したのと同様の効果を遺族に与えることが可能となる。また、墓所部と仏壇は、墓所部の基板と仏壇の載置板とを、防振ゴムを介してボルト、ナット等の止め具により連結固定することにより、比較的重量のある墓所部を仏壇に安全に固定することが可能となる。
【考案の効果】
【０００８】
本考案は上述の如く構成したものであるから、自宅等の身近な生活圏に置かれている仏壇の中に、通常は自宅等の身近な生活圏から離れた場所に設置されている墓所の形式を遺骨と共に取り入れ、自宅等の身近な生活圏に墓所を設置したのと同様に、故人に対する親密なお祀りを可能にすることができる。そのため、遺族は過去の想い出の中にある故人を、その一部である遺骨と共に最も身近に置くことが可能となり、常時墓参を行っているのと同様に故人を偲ぶことが可能となるものである。
【図面の簡単な説明】
【０００９】
【図１】仏壇内に墓所部を設置した状態の正面図。
【図２】墓所部の正面図。
【図３】図２のＡ−Ａ線断面図。
【図４】墓所部の側面図。
【図５】図２のＢ−Ｂ線断面図。
【実施例１】
【００１０】
以下、本考案の一実施例を図面に於いて説明すると、（１）は墓所部で、一般的な墓所をイメージして形成したものであり、自然石又は人造石で形成した基板(２)の上面外周に、図３、図５に示す如く、平行な側板(３)(４)とこの側板(３)(４)を連結する奥板(５)をコ字型に配置固定する。そして、この側板(３)(４)の前側の間に棚石(６)を配置する。この棚石(６)は側板(３)(４)の内面に形成した垂直溝(７)(８)に、抜き出し可能に挿入嵌合することにより行う。
【００１１】
また、図３、図４に示す如く、側板(３)(４)の前側と棚石(６)の上面に拝石(１０)を開閉可能に載置して被覆すると共に、側板(３)(４)の後側と奥板(５)の上面を芝台(１１)により被覆して納骨室(１２)を形成する。この納骨室(１２)は、遺骨入りの小型の骨壺(１３)を収納する為のものであって、棚石(６)、又は拝石(１０)を取り外すことにより骨壺(１３)の出し入れを可能としている。骨壺(１３)に収納する遺骨は、遺骨の全部を収納しても良いが、小型化した墓所部(１)に対応する為、喉仏部分の主焼骨のみを収納しても良いし、他の一部を収納するものであっても良い。また、上記実施例では骨壺(１３)を小型のものとしたが、通常の大きさの骨壺(１３)を用いるものであっても良い。また、前記の棚石(６)は、側板(３)(４)の内面に形成した垂直溝(７)(８)に、抜き出し可能に挿入嵌合したが、この棚石(６)を抜き出し可能としたのは納骨室(１２)への骨壺(１３)の出し入れが目的であるから、拝石(１０)を開閉自在としている場合には棚石(６)を垂直溝(７)(８)に抜き出し不能に固定しても良い。
【００１２】
また、納骨室(１２)の上面に載置した芝台(１１)の上面には、墓所用のモニュメント(１４)を配置する。このモニュメント(１４)は、図２，図３に示す如く墓石形状のものであってもよいし、仏像でも、故人に所縁の深いものであっても良い。以上の構成によって墓所部(１)が形成される。
【００１３】
以上の如く構成した墓所部(１)を図１に示す如く仏壇(１５)内部の載置板(１６)に載置して収納配置する。この仏壇は一般市販のものであっても良いが、墓所部(１)を収納する為の容積と、墓所部(１)の重量に耐える強度を備える必要がある。そして、墓所部(１)と仏壇(１５)とは、図３に示す如く、墓所部(１)の基板(２)と仏壇(１５)の載置板(１６)とを、防振ゴム(１７)を介して、ボルト(１８)、ナット(１９)等の止め具(２１)により連結固定することにより、地震等の衝撃に対する安全性を確保することが可能となる。
【００１４】
また、墓所部(１)の基板(２)、側板(３)(４)、奥板(５)、棚石(６)、拝石(１０)、芝台(１１)、モニュメント(１４)等の形成素材は、自然石により形成するのが墓所をイメージする上で好ましいが、重量の軽減、廉価な製造等を考慮すれば人造石により形成したものであっても良い。
【符号の説明】
【００１５】
１    墓所部
２    基板
３    側板
４    側板
５    奥板
６    棚石
１０    拝石
１１    芝台
１２    納骨室
１３    骨壺
１４    モーメント
１５    仏壇
１６    載置板
２１    止具
【図１】
0003156554.tif 000003
【図２】
0003156554.tif 000004
【図３】
0003156554.tif 000005
【図４】
0003156554.tif 000006
【図５】
0003156554.tif 000007